(57)【要約】  装置を小型化することができ、また、狭い場所に容易に設置することができると共に、容易に携帯することができる薬剤揮散装置を提供する。  薬剤揮散装置１０は、吸気口２０，２１と排気口２２，２２とを有するケース１１と、ケース１１内に配置され、モータ１５の回転軸１５ａに接続されるクロスフローファン１４と、クロスフローファン１４の長手方向と平行、且つケース１１の吸気口２０，２１側に配置される薬剤保持体１７と、を備える。
2007086307.tif 000002
【特許請求の範囲】
【請求項１】
吸気口と排気口とを有するケースと、
前記ケース内に配置され、モータの回転軸に接続されるクロスフローファンと、
前記クロスフローファンの長手方向と平行、且つ前記ケースの前記吸気口側に配置される薬剤保持体と、を備えることを特徴とする薬剤揮散装置。
【請求項２】
前記クロスフローファンの長手方向と平行な位置に、前記吸気口と前記排気口とを配置することを特徴とする請求項１に記載の薬剤揮散装置。
【請求項３】
前記ケースは、携帯可能な筒状部材であり、前記ケースの長手方向の一方側に前記クロスフローファンが配置され、前記ケースの長手方向の他方側に前記モータを駆動する電池が配置されることを特徴とする請求項１又は２に記載の薬剤揮散装置。
【請求項４】
前記ケースは、前記薬剤保持体の薬剤の残量を確認するためのインジケータを有することを特徴とする請求項１〜３のいずれかに記載の薬剤揮散装置。
【発明の詳細な説明】
【技術分野】
【０００１】
本発明は、薬剤揮散装置に関し、特に、ファンを内蔵した薬剤揮散装置に関する。
【背景技術】
【０００２】
従来から、防虫を目的として薬剤を揮散するための薬剤揮散装置が用いられており、従来の薬剤揮散装置としては、スタンド上に箱体が設置され、この箱体内に形成された殺菌室に殺菌灯が設けられ、箱体内に、クロスフローファン及びフィルターを内蔵しているもの（例えば、特許文献１参照）や、羽根に光活性触媒が固着されたクロスフローファンを用い、箱内に、クロスフローファン及び紫外線灯を内蔵しているもの（例えば、特許文献２参照）や、本体ケース内に、クロスフローファン及び脱臭素子を収納しているもの（例えば、特許文献３参照）等が知られている。【０００３】
【特許文献１】日本特開平８−７２０号公報
【特許文献２】日本特開平１０−２１１２６８号公報
【特許文献３】日本特開２００５−２３００４３号公報
【発明の開示】
【発明が解決しようとする課題】
【０００４】
しかしながら、特許文献１〜３に記載の薬剤揮散装置は、いずれも床に置いて使用する床置きタイプの薬剤揮散装置であって、大型で、狭い場所に設置することや携帯することが困難なため、装置の小型化が強く望まれている。【０００５】
本発明は、このような不都合を解消するためになされたものであり、その目的は、装置を小型化することができ、また、狭い場所に容易に設置することができると共に、容易に携帯することができる薬剤揮散装置を提供することにある。
【課題を解決するための手段】
【０００６】
本発明の上記目的は、下記の構成により達成される。
（１）  吸気口と排気口とを有するケースと、ケース内に配置され、モータの回転軸に接続されるクロスフローファンと、クロスフローファンの長手方向と平行、且つケースの吸気口側に配置される薬剤保持体と、を備えることを特徴とする薬剤揮散装置。
（２）  クロスフローファンの長手方向と平行な位置に、吸気口と排気口とを配置することを特徴とする（１）に記載の薬剤揮散装置。
（３）  ケースは、携帯可能な筒状部材であり、ケースの長手方向の一方側にクロスフローファンが配置され、ケースの長手方向の他方側にモータを駆動する電池が配置されることを特徴とする（１）又は（２）に記載の薬剤揮散装置。
（４）  ケースは、薬剤保持体の薬剤の残量を確認するためのインジケータを有することを特徴とする（１）〜（３）のいずれかに記載の薬剤揮散装置。【０００７】
上記（１）に記載の薬剤揮散装置によれば、吸気口と排気口とを有するケースと、ケース内に配置され、モータの回転軸に接続されるクロスフローファンと、クロスフローファンの長手方向と平行、且つケースの吸気口側に配置される薬剤保持体と、を備えるため、クロスフローファンと薬剤保持体とを並列配置するので、装置を小型化することができる。これにより、狭い場所に容易に設置することができると共に、容易に携帯することができる。
上記（２）に記載の薬剤揮散装置によれば、クロスフローファンの長手方向と平行な位置に、吸気口と排気口とを配置するため、クロスフローファンにより送風される空気は、吸気口から導入される際に吸気口側に配置された薬剤保持体を通過し、クロスフローファンに送風され、排気口から薬剤を外部に放出させる。これにより、吸気口からクロスフローファンに効率よく空気を導入することができると共に、クロスフローファンから排気口に効率よく空気を送風することができるので、薬剤保持体の薬剤を効率よく揮散させることができる。
上記（３）に記載の薬剤揮散装置によれば、ケースは、携帯可能な筒状部材であり、ケースの長手方向の一方側にクロスフローファンが配置され、ケースの長手方向の他方側にモータを駆動する電池が配置されるため、装置を長細い形状に小型化することができ、ペンのように携帯することが可能となる。
上記（４）に記載の薬剤揮散装置によれば、ケースは、薬剤保持体の薬剤の残量を確認するためのインジケータを有するため、薬剤保持体の交換時期等を確認することができる。例えば、薬剤保持体に保持されている薬剤に着色を施すことによって、使用時に、インジケータである点検窓から薬剤保持体の色を点検して、薬剤保持体の交換時期等を確認したり、ＬＥＤにより薬剤の残量を確認することができる。
【発明の効果】
【０００８】
本発明の薬剤揮散装置によれば、吸気口と排気口とを有するケースと、ケース内に配置され、モータの回転軸に接続されるクロスフローファンと、クロスフローファンの長手方向と平行、且つケースの吸気口側に配置される薬剤保持体と、を備えるため、装置を小型化することができ、また、狭い場所に容易に設置することができると共に、容易に携帯することができる。
【図面の簡単な説明】
【０００９】
【図１】本発明に係る薬剤揮散装置の第１実施形態を説明するための外観斜視図である。
【図２】図１に示す薬剤揮散装置の正面図である。
【図３】図１に示す薬剤揮散装置の右側面図である。
【図４】図１に示す薬剤揮散装置のカバーを取り外した状態の正面図である。
【図５】図２のＡ−Ａ線矢視断面図である。
【図６】本発明に係る薬剤揮散装置の第２実施形態を示す図であり、（ａ）は薬剤揮散装置のカバーを取り外した状態の正面図、（ｂ）は薬剤揮散装置の断面図である。
【図７】本発明に係る薬剤揮散装置の第３実施形態のカバーを取り外した状態の正面図である。
【図８】本発明に係る薬剤揮散装置の第４実施形態を説明するための外観斜視図である。
【符号の説明】
【００１０】
１０，５０，６０，７０    薬剤揮散装置
１１，７１                ケース
１２                      ケース本体
１３                      カバー
１４                      クロスフローファン
１５                      モータ
１５ａ                    回転軸
１５ｂ，１５ｃ            ブラシ端子
１６，６１                電池
１７，７７                薬剤保持体
１８，６２                スイッチ
２０，２１，７２          吸気口
２２，７３                揮散口（排気口）
２３                      ファン収納部
２４                      モータ固定部
２５                      電池収納部
２６                      薬剤保持体収納部
２７                      点検窓（インジケータ）
【発明を実施するための最良の形態】
【００１１】
以下、本発明に係る薬剤揮散装置の各実施形態について、図面を参照して詳細に説明する。【００１２】
（第１実施形態）
まず、図１〜図５を参照して、本発明に係る薬剤揮散装置の第１実施形態について説明する。
図１は本発明に係る薬剤揮散装置の第１実施形態を説明するための外観斜視図、図２は図１に示す薬剤揮散装置の正面図、図３は図１に示す薬剤揮散装置の右側面図、図４は図１に示す薬剤揮散装置のカバーを取り外した状態の正面図、図５は図２のＡ−Ａ線矢視断面図である。【００１３】
本実施形態の薬剤揮散装置１０は、図１〜図４に示すように、ケース本体１２とカバー１３とを有するケース１１と、ケース１１内に配置されるクロスフローファン１４、モータ１５、電池１６、及び薬剤保持体１７と、ケース１１の側面部（図１の右側面部）に配置されるスイッチ１８と、を備えている。【００１４】
ケース１１は、断面略玉子形の筒状部材であって、全体として細長いペン形状に形成されており、ケース本体１２にカバー１３が被着されることで一体構造をなすように構成される。これにより、ケース本体１２からカバー１３を取り外すだけで、電池１６及び薬剤保持体１７を容易に交換することができる。なお、ケース１１は、例えば、長さＬが約９０ｍｍ〜１３０ｍｍ、幅Ｂが約２０ｍｍ〜３０ｍｍ、厚さＤが約１５ｍｍ〜２０ｍｍ程度の携帯し易い大きさである。【００１５】
また、ケース１１には、その側面部（図２の右側面部）のクロスフローファン１４と平行な位置に吸気口２０，２１が形成される共に、その正面部（図３の左側面部）のクロスフローファン１４と平行な位置に排気口である揮散口２２，２２が形成される。このうち、吸気口２０及び揮散口２２，２２はカバー１３に形成され、吸気口２１はケース本体１２に形成される。また、吸気口２０，２１及び揮散口２２，２２は、端部に行くに従って幅が小さくなるようなスリット形状に形成されている。【００１６】
図４に示すように、ケース本体１２には、長手方向の一方側から他方側に向かって、クロスフローファン１４を収納するためのファン収納部２３、モータ１５を固定するためのモータ固定部２４、及び電池１６を収納するための電池収納部２５、が形成されており、クロスフローファン１４、モータ１５、及び電池１６が一列に並ぶように配置される。また、ファン収納部２３に平行にして、薬剤保持体１７を収納するための薬剤保持体収納部２６が形成される。さらに、モータ固定部２４の側方（図４の右側方）にスイッチ１８が組み付けられる。【００１７】
また、ケース本体１２の上面部（図４の上面部）には、薬剤保持体１７の薬剤の残量を確認するためのインジケータとして略円形状の点検窓２７が形成されている。この点検窓２７は、例えば、薬剤保持体１７に保持されている薬剤の色などを目視するためのもので、薬剤保持体１７における薬剤の残量を点検することができる。なお、インジケータは、薬剤の残量を確認するＬＥＤであってもよい。【００１８】
クロスフローファン１４は、ケース本体１２のファン収納部２３に組み込まれており、クロスフローファン１４の端部（図４の下端部）には、モータ１５の回転軸１５ａが接続される。なお、本実施形態では、クロスフローファン１４は、ケース１１の側面部の吸気口２０，２１から空気を取り入れ、取り入れた空気の方向を略９０°変更して、ケース１１の正面部の揮散口２２，２２の方向に送風する。【００１９】
モータ１５は、直流ブラシモータであり、ケース本体１２のモータ固定部２４に固定されている。そして、一対のブラシ端子１５ｂ，１５ｃに電流が供給されることで回転軸１５ａが回転し、回転軸１５ａに接続されるクロスフローファン１４を駆動させる。なお、モータ１５の種類や大きさにより、クロスフローファン１４とモータ１５の回転軸１５ａとを接続する接続部材として、自在に湾曲する接続部材を用いてもよい。これにより、湾曲した形態の薬剤揮散装置を得ることができる。【００２０】
電池１６は、ケース本体１２の電池収納部２５に、クロスフローファン１４及びモータ１５の軸線上に並ぶように収納されており、スイッチ１８がオン位置になるとモータ１５に電流を供給し、モータ１５を回転させる。なお、本実施形態では、電池１６は、１本の単４型の使い捨て又は充電式の電池を使用するが、必要な電力が得られる電源であれば、充電式の電池パックでもよい。また、電池のサイズ、本数は任意である。【００２１】
薬剤保持体１７は、図５に示すように、吸気口２０，２１に沿った断面略円形の棒状部材であり、ケース本体１２の薬剤保持体収納部２６に取り付けられており、クロスフローファン１４の長手方向と平行、且つケース１１の吸気口２０，２１側に配置されている。また、薬剤保持体１７には予め着色された薬剤が保持されている。なお、薬剤保持体１７は、棒状部材であればよく、その断面形状は任意である。また、薬剤保持体１７は、通気性包材に収納されていてもよく、通気性カバーで覆われていてもよい。この場合、薬剤保持体１７の形状は、粉、粒、錠剤、カプセル、タブレット等、通気性包材に収納可能なものであればよい。さらに、薬剤保持体１７は、クロスフローファン１４のブレード自体又はクロスフローファン１４の構造体の一部であってもよい。この場合、吸気口２０，２１側に薬剤保持体１７を配置しなくてもよいので、装置をより小型化することが可能になる。【００２２】
薬剤保持体１７の材質は、有効成分を十分に保持できるものであれば特に限定しないが、保持した有効成分を一時に揮散させるようなものより、所望時間に亘って同じ量の有効成分を連続的に揮散させるような材質が好ましい。具体的には、紙類（濾紙、パルプ、リンター、厚紙、ダンボール等）、樹脂類（ポリエチレン、ポリプロピレン、ポリ塩化ビニル、高吸油性ポリマー等）、セラミック、ガラス繊維、炭素繊維、化学繊維（ポリエステル、ナイロン、アクリル、ビニロン、ポリエチレン、ポリプロピレン等）、天然繊維（木綿、絹、羊毛、麻等）、ガラス繊維、炭素繊維、化学繊維、天然繊維等からなる不織布、編織布等の布綿、多孔性ガラス材料、多孔性金属材料、金網等を挙げることができる。【００２３】
薬剤保持体１７に保持させる薬剤の有効成分としては、害虫防除剤、殺菌剤、芳香剤、消臭剤等を例示することができる。害虫防除成分として代表的なものを、以下に例示する。
・ｄｌ−３−アリル−２−メチル−４−オキソ−２−シクロペンテニル  ｄｌ−シス／トランス−クリサンテマート（一般名アレスリン：商品名ピナミン：住友化学工業株式会社製）
・ｄｌ−３−アリル−２−メチル−４−オキソ−２−シクロペンテニル  ｄ−シス／トランス−クリサンテマート（商品名ピナミンフォルテ：住友化学工業株式会社製）
・ｄｌ−３−アリル−２−メチル−４−オキソ−２−シクロペンテニル  ｄ−トランス−クリサンテマート（一般名バイオアレスリン、商品名エスバイオール：ユクラフ社製）
・ｄ−３−アリル−２−メチル−４−オキソ−２−シクロペンテニル  ｄ−トランス−クリサンテマート（商品名エキスリン：住友化学工業株式会社製）
・（５−ベンジル−３−フリル）メチル  ｄ−シス／トランス−クリサンテマート（一般名レスメトリン：商品名クリスロンフォルテ：住友化学工業株式会社製）
・５−プロパギル−２−フリルメチル−ｄ−シス／トランス−クリサンテマート（一般名フラメトリン：商品名ピナミンＤフォルテ：住友化学工業株式会社製）
・（＋）−２−メチル−４−オキソ−３−（２−プロピニル）−２−シクロペンテニル（＋）−シス／トランス−クリサンテマート（一般名プラレトリン、商品名エトック：住友化学工業株式会社製）
・ｄｌ−３−アリル−２−メチル−４−オキソ−２−シクロペンテニル−ｄｌ−シス／トランス−２，２，３，３−テトラメチルシクロプロパンカルボシキラート（一般名テラレスリン：住友化学工業株式会社製）
・（１，３，４，５，６，７−ヘキサヒドロ−１，３−ジオキソ−２−イソインドリル）メチル−ｄｌ−シス／トランス−クリサンテマート（一般名フタルスリン、商品名ネオピナミン：住友化学工業株式会社製）
・（１，３，４，５，６，７−ヘキサヒドロ−１，３−ジオキソ−２−イソインドリル）メチル−ｄ−シス／トランス−クリサンテマート（商品名ネオピナミンフォルテ：住友化学工業株式会社製）
・３−フェノキシベンジル−ｄ−シス／トランス−クリサンテマート（一般名フェノトリン、商品名スミスリン：住友化学工業株式会社製）
・３−フェノキシベンジル−ｄｌ−シス／トランス−３−（２，２−ジクロロビニル）−２，２−ジメチル−１−シクロプロパンカルボキシラート（一般名ペルメトリン、商品名エクスミン：住友化学工業株式会社製）
・（±）α−シアノ−３−フェノキシベンジル（＋）−シス／トランス−クリサンテマート（一般名シフェノトリン、商品名ゴキラート：住友化学工業株式会社製）
・１−エチニル−２−メチル−２−ペンテニル  ｄｌ−シス／トランス−３−（２，２−ジメチルビニル）−２，２−ジメチル−１−シクロプロパンカルボキシラート（一般名エンペントリン、商品名ベーパースリン：住友化学工業株式会社製）
・ｄ−トランス−２，３，５，６−テトラフルオロベンジル−３−（２，２−ジクロロビニル）−２，２−ジメチル−１−シクロプロパンカルボキシレート（一般名トランスフルスリン）
・１−エチニル−２−メチル−２−ペンテニル  ３−（２，２−ジクロロエテニル）−２，２−ジメチルシクロプロパンカルボキシラート等。【００２４】
また、上記した化合物に例えば構造上類似し、実質的には同様の薬効のある化合物も挙げることができる。例えばエンペントリンの場合３位の２個の置換基はメチル基であるが、その置換基として他のアルキル基、不飽和アルキル基またはハロゲン原子である化合物を用いることもできる。この他にも、フィプロニール、イミプロトリン、フラニル系の殺虫剤であるジノテフラン（化学名：（ＲＳ）−１−メチル−２−ニトロ−３−（テトラヒドロ−３−フリルメチル）グアニジン）、トリクロルホン、カルタップ、アセタミプリド、イミダクロプリド（Ｉｍｉｄａｃｌｏｐｒｉｄ、日本バイエルアグロケム社製）、ニテンピラム（Ｎｉｔｅｎｐｙｒａｍ、住化武田農薬社製）、チアクロプリド（Ｔｈｉａｃｌｏｐｒｉｄ、日本バイエルアグロケム社製）、クロチアニジン（Ｃｌｏｔｉａｎｉｄｉｎ、住化武田農薬社製）、チアメトキサム（Ｔｈｉａｍｅｔｈｏｘａｍ、シンジェンタ社製）、プロポクスル（Ｐｒｏｐｏｘｕｒ、バイエル薬品社製）、ピメトロジン（Ｐｙｍｅｔｒｏｚｉｎｅ、シンジェンタ社製）、フェニトロチオン（住友化学社製）、フェンチオン（バイエル社製）、メトフルトリン（住友化学社製）、プロフルトリン（住友化学社製）、アミドフルメト（住友化学社製）、除虫菊エキス、植物精油などの殺虫剤やメトプレン（イソプロピル（２Ｅ−２Ｅ）−１１−メトキシ−３，７，１１−トリメチル−２，４−トリメチルドデカ−２，４−ジエノエート）、ピリプロキシフェン、８２−［１−メチル−２−（フェノキシフェノキシ）エトキシ］ピリジン）などの昆虫幼若ホルモン、ジフルペンズロン（１−（４−クロロフェニル）−３−（２，６−ジフルオロベンゾイル）ウレア）、テフルベンズロン（１−（３，５−ジフルオロベンゾイル）ウレア）などの昆虫キチン形成阻害化合物などが挙げられる。【００２５】
こうした中でも、常温で中揮散性（蒸気圧１．０×１０−２〜１．０×１０−６ｍｍＨｇ）のものが好ましく、さらに、プラレトリン、レスメトリン、バイオアレスリン、フラメトリン、テラレスリン、トランスフルスリン、メトフルトリン、プロフルトリンが特に好ましい。このような害虫防除成分は単独で用いてもよく、組み合わせて用いてもよい。また、これらの類縁体も用いられる。これらのうち常温で揮散しやすいものについては、例えば、揮散を調整するためのカバーを設けたり、ポリブテン、イソパラフィン、ノルマルパラフィン等の炭化水素類や、ラウリン酸ヘキシル、ミリスチン酸イソプロピル、フタル酸ブチルなどのエステル類からなる揮散調整剤を併用したりすることで、難揮散性となり長時間にわたって害虫防除効果を得ることができる。【００２６】
薬剤を容易に保持させるための理由で液状薬剤を低粘度化する添加剤として、ミリスチン酸イソプロピル、パルミチン酸イソプロピル、ラウリル酸ヘキシルなどの脂肪酸エステルやイソプロピルアルコール、ポリエチレングリコール、脱臭ケロシンなどの溶剤を必要に応じて使用することができる。また、薬剤を保持させる際に、その他の補助成分とともにこれを保持させることができ、例えば、蒸散促進用助剤として昇華性物質を添加すると揮散効果が高まってよい。害虫防除成分としてピレスロイド系化合物を使用する場合には、これに対して有効な既知の共力剤を混合することも好ましい。さらにＢＨＴやＢＨＡなどの酸化防止剤や紫外線吸収剤を添加すると光、熱、酸化などに対する安定性が高まる。【００２７】
また、薬剤保持体１７は、薬剤保持体１７に有効成分等を保持させるには、薬剤保持体１７に薬剤を滴下塗布、含浸塗布、スプレー塗布等の液状塗布方法、液状印刷、はけ塗り等の方法、或いは薬剤保持体１７へ貼り付ける方法等を用いることができる。さらに、使用する薬剤の組成物が液状のものでない場合、或いは溶剤を使用しない場合、混練込み、塗布、印刷等の方法を適用できる。【００２８】
薬剤保持体１７に保持される有効成分量は、通常、薬剤保持体１７の飽和含浸量までとするが、薬剤保持体１７に、吸液材を介して別途補給用容器を連結することにより、長期間にわたり連続的に容器内の液がなくなるまで使用可能な形態にすることもできる。【００２９】
スイッチ１８は、スライド式スイッチであって、操作部３０が形成される可動板３１と、この可動板３１の裏面に固定される可動接点であるコンタクトプレート３２と、このコンタクトプレート３２に電気的に離接される第１，第２コンタクタ３３，３４と、３個の導電金属製の第１，第２，第３バスバー３５，３６，３７と、を備える。なお、本実施形態では、スイッチ１８にスライド式スイッチを使用したが、これに代えて、スナップ式スイッチやボタン式スイッチであってもよい。【００３０】
可動板３１は、ケース本体１２に形成されるガイド溝３８内にスライド移動自在に組み付けられており、操作部３０の押圧に伴いコンタクトプレート３２と共にスライド移動する。【００３１】
第１コンタクタ３３は、第１バスバー３５の一端部に電気的に接続されており、この第１バスバー３５の他端部は、モータ１５の一方のブラシ端子１５ｂに電気的に接続されている。【００３２】
第２コンタクタ３４は、第２バスバー３６の一端部に電気的に接続されており、この第２バスバー３６の他端部は、電池収納部２５において電池１６のマイナス側に電気的に接続されている。【００３３】
第３バスバー３７は、一端部がモータ１５の他方のブラシ端子１５ｃに電気的に接続されており、他端部が電池収納部２５において電池１６のプラス側に電気的に接続されている。【００３４】
このように構成された薬剤揮散装置１０では、図１に示すように、操作部３０をオン位置にスライドさせることによって、電池１６の電気が、電池１６のプラス側→第３バスバー３７→モータ１５のブラシ端子１５ｃ→モータ１５のブラシ端子１５ｂ→第１バスバー３５→第１コンタクタ３３→コンタクトプレート３２→第２コンタクタ３４→第２バスバー３６→電池１６のマイナス側の順で流れる。これにより、モータ１５の回転軸１５ａが回転し、クロスフローファン１４を駆動させる。そして、クロスフローファン１４が駆動することによって、図５中に矢印で示すように、外部の空気が吸気口２０，２１及び薬剤保持体１７を介してクロスフローファン１４内に導入され、クロスフローファン１４により送風された空気は、揮散口２２，２２から薬剤保持体１７から揮散した薬剤を外部に放出させる。【００３５】
また、操作部３０をオン位置から図１中の手前方向のオフ位置にスライド移動させることによって、可動板３１と共にコンタクトプレート３２がスライド移動し、第１コンタクタ３３がコンタクトプレート３２から離れるため、通電回路が遮断されてモータ１５が停止する。【００３６】
従って、本実施形態の薬剤揮散装置１０によれば、吸気口２０，２１と揮散口２２，２２とを有するケース１１と、ケース１１内に配置され、モータ１５の回転軸１５ａに接続されるクロスフローファン１４と、クロスフローファン１４の長手方向と平行、且つケース１１の吸気口２０，２１側に配置される薬剤保持体１７と、を備えるため、クロスフローファン１４と薬剤保持体１７とを並列配置するので、装置１０を小型化することができる。これにより、狭い場所に容易に設置することができると共に、容易に携帯することができる。【００３７】
また、本実施形態の薬剤揮散装置１０によれば、クロスフローファン１４の長手方向と平行な位置に、吸気口２０，２１と揮散口２２，２２とを配置するため、クロスフローファン１４により送風される空気は、吸気口２０，２１から導入される際に吸気口２０，２１側に配置された薬剤保持体１７を通過し、クロスフローファン１４に送風され、揮散口２２，２２から薬剤を外部に放出させる。これにより、吸気口２０，２１からクロスフローファン１４に効率よく空気を導入することができると共に、クロスフローファン１４から揮散口２２，２２に効率よく空気を送風することができるので、薬剤保持体１７の薬剤を効率よく揮散させることができる。【００３８】
また、本実施形態の薬剤揮散装置１０によれば、ケースは１１、携帯可能な筒状部材であり、ケース１１の長手方向の一方側にクロスフローファン１４が配置され、ケース１１の長手方向の他方側にモータ１５を駆動する電池１６が配置されるため、装置１０を長細い形状に小型化することができ、ペンのように携帯することが可能となる。【００３９】
また、本実施形態の薬剤揮散装置１０によれば、ケース１１は、薬剤保持体１７の薬剤の残量を確認するためのインジケータとして点検窓２７を有するため、薬剤保持体１７の交換時期等を確認することができる。例えば、薬剤保持体１７に保持されている薬剤に着色を施すことによって、使用時に、インジケータである点検窓２７から薬剤保持体１７の色を点検して、薬剤保持体１７の交換時期等を確認することができる。【００４０】
さらに、本実施形態の薬剤揮散装置１０によれば、薬剤揮散装置１０は、携帯し易い大きさであるため、装置１０を上着やズボンなどのポケットに入れて携行することができる。また、例えば、ケース１１に紐を結びつけて、その紐を首に巻いたり、胸の前に吊り下げたり、手首や腕などに巻き付けたりして携行することもできる。さらに、部屋等の小空間用として、机や流し台などの周囲に貼り付けたり、ぶら下げたり、窓枠やドア枠の周囲に設置することもできる。【００４１】
（第２実施形態）
次に、図６を参照して、本発明の第２実施形態である薬剤揮散装置５０について説明する。なお、第１実施形態と重複する部分については、図に同一符号を付してその説明を省略あるいは簡略化する。
図６は本発明に係る薬剤揮散装置の第２実施形態を示す図であり、（ａ）は薬剤揮散装置のカバーを取り外した状態の正面図、（ｂ）は薬剤揮散装置の断面図である。【００４２】
本実施形態の薬剤揮散装置５０は、図６に示すように、電池収納部２５をモータ固定部２４の側方（図６の右側方）に設けて、モータ１５と電池１６とを並列配置している。また、スイッチ１８をケース１１のモータ１５側の側面部（図６の左側面部）に配置している。【００４３】
本実施形態の薬剤揮散装置５０によれば、クロスフローファン１４と薬剤保持体１７とを並列配置すると共に、モータ１５と電池１６とを並列配置するため、第１実施形態の薬剤揮散装置１０よりも長さを短くすることができる。これにより、装置の携帯性を向上することができる。
その他の構成及び作用効果については、上記した第１実施形態と同様である。【００４４】
（第３実施形態）
次に、図７を参照して、本発明の第３実施形態である薬剤揮散装置６０について説明する。なお、第１実施形態と重複する部分については、図に同一符号を付してその説明を省略あるいは簡略化する。
図７は本発明に係る薬剤揮散装置の第３実施形態のカバーを取り外した状態の正面図である。【００４５】
本実施形態の薬剤揮散装置６０は、図７に示すように、電池収納部２５をモータ固定部２４の側方（図７の右側方）に設け、この電池収納部２５にボタン型の電池６１，６１を互い違いに収納させている。また、電池収納部２５の側方（図７の右側方）にスイッチ６２が配置されている。これにより、モータ１５、電池６１，６１、及びスイッチ６２が並列配置される。【００４６】
スイッチ６２は、可動板３１に第１コンタクタ６３を固定しており、この第１コンタクタ６３は、第２コンタクタ６４と電気的に常時接続される。また、電池６１，６１の一方側（図７の左側）に導通用の第１バスバー６６がそれぞれ電気的に接続され、一方の電池６１のプラス側に第１コンタクタ６３が離接可能に配置され、他方の電池６１のマイナス側に第３コンタクタ６５が電気的に接続される。さらに、第２コンタクタ６４は、第２バスバー６７を介してモータ１５のブラシ端子１５ｃに電気的に接続され、第３コンタクタ６５は、第３バスバー６８を介してモータ１５のブラシ端子１５ｂに電気的に接続される。【００４７】
このように構成された薬剤揮散装置６０では、図７に示すように、操作部３０をオン位置にスライドさせることによって、電池６１，６１の電気が、一方の電池６１のプラス側→第１コンタクタ６３→第２コンタクタ６４→第２バスバー６７→モータ１５のブラシ端子１５ｃ→モータ１５のブラシ端子１５ｂ→第３バスバー６８→第３コンタクタ６５→他方の電池６１のマイナス側の順で流れる。これにより、モータ１５の回転軸１５ａが回転し、クロスフローファン１４を駆動させる。また、操作部３０をオン位置から図７中の手前方向のオフ位置にスライド移動させることによって、可動板３１と共に第１コンタクタ６３がスライド移動し、第１コンタクタ６３が一方の電池６１のプラス側から離れるため、通電回路が遮断されてモータ１５が停止する。【００４８】
従って、本実施形態の薬剤揮散装置６０によれば、クロスフローファン１４と薬剤保持体１７とを並列配置すると共に、モータ１５、電池６１，６１、及びスイッチ６２を並列配置し、電池６１，６１にボタン型の電池を使用するため、第１，第２実施形態の薬剤揮散装置１０，５０よりも長さをさらに短くすることができる。これにより、装置の携帯性をさらに向上することができる。
その他の構成及び作用効果については、上記した第１実施形態と同様である。【００４９】
（第４実施形態）
次に、図８を参照して、本発明の第４実施形態である薬剤揮散装置７０について説明する。なお、第１実施形態と重複する部分については、図に同一符号を付してその説明を省略あるいは簡略化する。
図８は本発明に係る薬剤揮散装置の第４実施形態を説明するための外観斜視図である。【００５０】
本実施形態の薬剤揮散装置７０は、図８に示すように、第１ケース部７５と第２ケース部７６とを有するケース７１と、第１ケース部７５内に配置されるクロスフローファン１４及びモータ１５と、第２ケース部７６内に配置される電池１６と、第２ケース部７６に取り付けられる薬剤保持体７７と、を備えている。【００５１】
ケース７１は、断面略円形の筒状部材であって、全体として細長いペン形状に形成されており、第１ケース部７５に第２ケース部７６を組み付けることで一体構造をなすように構成される。これにより、第１ケース部７５から第２ケース部７６を取り外すだけで、電池１６及び薬剤保持体７７を一度に交換することができる。【００５２】
第１ケース部７５の内部には、クロスフローファン１４及びモータ１５が長手方向に並ぶように配置され、第１ケース部７５の側面部には、複数の吸気口７２，７２及び１本の揮散口７３が形成されている。【００５３】
第２ケース部７６の長手方向の一方側には、薬剤保持体７７を取り付けるための薬剤保持枠７８が形成され、第２ケース部７６の長手方向の他方側には、電池１６が内蔵される。また、第２ケース部７６の他方側の側面部には、不図示のスイッチが組み付けられている。【００５４】
薬剤保持体７７は、吸気口７２，７２に沿った平面状部材であり、第２ケース７６の薬剤保持枠７８に取り付けられており、クロスフローファン１４の長手方向と平行、且つケース７１の吸気口７２，７２側に配置されている。なお、薬剤保持体７７に保持させる薬剤としては、上記した第１実施形態と同一のものを使用する。【００５５】
このように構成された薬剤揮散装置７０では、第１ケース部７５に第２ケース部７６を組み付けることで一体構造のケース７１となり、ケース７１の長手方向の一方側から他方側に向かって、クロスフローファン１４、モータ１５、及び電池１６が一列に並ぶように配置される。また、組み付けの際に、第１ケース部７５内のモータ１５と第２ケース部７６内の電池１６とが電気的に接続されており、不図示のスイッチをオン状態にすることによって、モータ１５の回転軸１５ａが回転し、クロスフローファン１４を駆動させる。【００５６】
従って、本実施形態の薬剤揮散装置７０によれば、クロスフローファン１４及びモータ１５を内蔵する第１ケース部７５と、電池１６を内蔵し、薬剤保持体７７が取り付けられる第２ケース部７６と、を備え、第１ケース部７５に第２ケース部７６を組み付けることで一体構造のケース７１となるため、装置１０をより一層小型化することができ、また、第１ケース部７５から第２ケース部７６を取り外すだけで、電池１６及び薬剤保持体７７を一度に交換することができる。なお、電池１６は、ボタン電池として、第２ケース部７６は、これに見合う大きさとしてもよい。
その他の構成及び作用効果については、上記した第１実施形態と同様である。
【実施例】
【００５７】
以下に、本発明の揮散性薬剤容器（本実施例）の作用効果を確認するために行った揮散試験について説明する。【００５８】
本試験に使用する本実施例は、上記第４実施形態の揮散性薬剤容器７０であって、参考例は、上記第４実施形態の揮散性薬剤容器７０の薬剤保持体７７を吸気口７２，７２側でなく、揮散口（排気口）７３側に配置したものである。また、薬剤保持体７７は、東レポリエステルメッシュ（Ｔ１１０７／８８８、サイズ１５×４０ｍｍ、１枚重ね）にメトフルトリン２０ｍｇを含浸させたものである。さらに、モータ１５への印加電圧は１．５Ｖとした。【００５９】
本試験では、本実施例及び参考例を１個ずつ用意し、それぞれを駆動させて風量と薬剤揮散量を測定した。結果を表１に示す。【００６０】
【表１】
2007086307.tif 000003
【００６１】
表１から明らかなように、参考例が、風量０．６１リットル／ｓｅｃで、薬剤揮散量０．０３ｍｇ／ｈｒであるのに対して、本実施例は、風量０．４３リットル／ｓｅｃで、薬剤揮散量０．０６ｍｇ／ｈｒであることから、モータに同じ電圧を印加した場合であっても、本実施例の方が風量の損失が大きいが、薬剤揮散量が多いことがわかった。これにより、本発明の薬剤揮散装置における薬剤保持体の設置場所は吸気口側が望ましいことが確認できた。【００６２】
本発明を詳細にまた特定の実施態様を参照して説明したが、本発明の精神と範囲を逸脱することなく様々な変更や修正を加えることができることは当業者にとって明らかである。
本出願は、２００６年１月２６日出願の日本特許出願（特願２００６−０１７９１４）に基づくものであり、その内容はここに参照として取り込まれる。
【図１】
2007086307.tif 000004
【図２】
2007086307.tif 000005
【図３】
2007086307.tif 000006
【図４】
2007086307.tif 000007
【図５】
2007086307.tif 000008
【図６】
2007086307.tif 000009
【図７】
2007086307.tif 000010
【図８】
2007086307.tif 000011
【国際調査報告】
2007086307.tif 000012
2007086307.tif 000013
2007086307.tif 000014
2007086307.tif 000015